(57)【要約】【課題】表示装置のブラケットとバックカバーとの間に隙間が生じることを抑制できるようにする。【解決手段】表示装置は、表示装置本体２と、表示装置本体の背面２ｂ側に配されるバックカバー３と、を備える。バックカバーは、前記背面に対して間隔をあけて位置する本体板部５、及び、本体板部の周縁から前記背面まで延びる周縁板部６を有する。前記背面には、前記背面に沿う第一方向において周縁板部の内面６ｃに対向して面接触可能な被接触面２３Ｅを有するブラケット２０と、第一方向において被接触面に対向する周縁板部の第一部位６Ａとの間にブラケットが位置するように配された第一突起部３０と、を設ける。前記背面に対向する本体板部の内面５ｃには、前記背面に向けて延びると共に、第一方向において周縁板部の第一部位との間にブラケット及び第一突起部が位置するように第一突起部に接触する第二突起部４０を設ける。【選択図】図１１
2019191416.tif 000002
【特許請求の範囲】
【請求項１】
板状に形成された表示装置本体と、
表示装置本体の背面側に配され、前記背面に対して間隔をあけて位置する本体板部、及び、前記本体板部の周縁から前記背面まで延びる周縁板部を有するバックカバーと、を備え、
前記表示装置本体の背面には、前記背面に沿う第一方向において前記周縁板部の内面に対向して面接触可能な被接触面を有するブラケットと、前記第一方向において前記被接触面に対向する前記周縁板部の部位との間に前記ブラケットが位置するように配された第一突起部と、が設けられ、
前記背面に対向する前記本体板部の内面には、前記背面に向けて延びると共に、前記第一方向において前記被接触面に対向する前記周縁板部の部位との間に前記ブラケット及び前記第一突起部が位置するように前記第一突起部に接触する第二突起部が設けられている表示装置。
【請求項２】
前記第二突起部のうち前記第一方向において前記第一突起部側に向く面が、前記本体板部の内面から離れるにしたがって前記第一方向において前記ブラケットから離れるように傾斜する傾斜面を含む請求項１に記載の表示装置。
【請求項３】
前記第二突起部が、前記第一方向において前記被接触面に対向する前記周縁板部の部位と反対側に位置する前記本体板部の端部に配される請求項１又は請求項２に記載の表示装置。
【請求項４】
前記第二突起部が、前記背面に沿って前記第一方向に直交する第二方向において互いに間隔をあけて複数配列される請求項１から請求項３のいずれか一項に記載の表示装置。
【請求項５】
前記第二突起部が、前記背面に沿って前記第一方向に直交する第二方向に延びる細長い形状に形成されると共に、前記第二方向に間隔をあけて配列された複数の前記第一突起部に接触する請求項１から請求項４のいずれか一項に記載の表示装置。
【請求項６】
前記第二突起部が、前記第一方向において前記周縁板部との間に前記ブラケット及び前記第一突起部を挟む請求項１から請求項５のいずれか一項に記載の表示装置。
【請求項７】
請求項１から請求項６のいずれか一項に記載の表示装置において、前記表示装置本体の背面に前記バックカバーを配置する際に、前記第一方向において前記被接触面に対向する前記周縁板部の部位と前記第二突起部との間に前記ブラケット及び前記第一突起部が位置するように、前記第二突起部を前記第一突起部に接触させるカバー配置方法。
【発明の詳細な説明】
【技術分野】
【０００１】
本発明は、表示装置、及びカバー配置方法に関する。
【背景技術】
【０００２】
特許文献１の表示装置は、表示パネル等を含む表示装置本体と、表示装置本体の背面に取り付けられるバックカバーと、を備える。表示装置本体の背面のうちバックカバーによって覆われる部分には、ブラケットが設けられている。
【先行技術文献】
【特許文献】
【０００３】
【特許文献１】特開２０１３-３３２８１号公報
【発明の概要】
【発明が解決しようとする課題】
【０００４】
この種の表示装置において、バックカバーのうち表示装置本体の背面から離れる方向に延びる部位（周縁板部）には、ブラケットをバックカバーの外側に露出させるための孔が形成される。バックカバーの周縁板部の内面のうち孔の周囲の領域には、ブラケットの縁部が対向する。ブラケットの縁部は、周縁壁部に接触することが好ましい。
しかしながら、バックカバーを表示装置本体の背面に配した状態では、寸法公差などに基づいてバックカバーが表示装置本体に対して背面に沿う方向に位置ずれすることがある。バックカバーが位置ずれした場合、ブラケットの縁部とバックカバーの内面との間に隙間ができてしまう、という問題がある。
【０００５】
この発明は、上述した事情に鑑みてなされたものであって、ブラケットとバックカバーとの間に隙間が生じることを抑制できる表示装置、及びカバー配置方法を提供することを目的とする。
【課題を解決するための手段】
【０００６】
本発明の表示装置は、板状に形成された表示装置本体と、表示装置本体の背面側に配され、前記背面に対して間隔をあけて位置する本体板部、及び、前記本体板部の周縁から前記背面まで延びる周縁板部を有するバックカバーと、を備え、前記表示装置本体の背面には、前記背面に沿う第一方向において前記周縁板部の内面に対向して面接触可能な被接触面を有するブラケットと、前記第一方向において前記被接触面に対向する前記周縁板部の部位との間に前記ブラケットが位置するように配された第一突起部と、が設けられ、前記背面に対向する前記本体板部の内面には、前記背面に向けて延びると共に、前記第一方向において前記被接触面に対向する前記周縁板部の部位との間に前記ブラケット及び前記第一突起部が位置するように前記第一突起部に接触する第二突起部が設けられていることを特徴とする。
【０００７】
本発明のカバー配置方法は、前記表示装置において、前記表示装置本体の背面に前記バックカバーを配置する際に、前記第一方向において前記被接触面に対向する前記周縁板部の部位と前記第二突起部との間に前記ブラケット及び前記第一突起部が位置するように、前記第二突起部を前記第一突起部に接触させることを特徴とする。
【発明の効果】
【０００８】
本発明によれば、バックカバーの周縁板部とブラケットとの間に隙間が生じることを抑制できる。
【図面の簡単な説明】
【０００９】
【図１】本発明の一実施形態に係る表示装置をバックカバー側から見た斜視図である。
【図２】図１における領域Ｒを拡大して示す拡大斜視図である。
【図３】図１のバックカバーをその内面側から見た斜視図である。
【図４】図１の表示装置を示す断面図である。
【図５】図１の表示装置において、バックカバーの内面側から見たときの、表示装置本体の第一突起部とバックカバーの第二突起部との位置関係を示す模式図である。
【図６】図１の表示装置において、バックカバーを表示装置本体の背面に配置する手順を説明するための図である。
【図７】図１の表示装置において、バックカバーが表示装置本体の背面に配されるときの表示装置本体に対するバックカバーの動きを示す図である。
【図８】図１の表示装置において、バックカバーが表示装置本体の背面に配されるときの表示装置本体に対するバックカバーの動きを示す図である。
【図９】本発明の他の実施形態に係る表示装置において、バックカバーの内面側から見たときの、表示装置本体の第一突起部とバックカバーの第二突起部との位置関係を示す模式図である。
【図１０】本発明の他の実施形態に係る表示装置において、バックカバーの内面側から見たときの、表示装置本体の第一突起部とバックカバーの第二突起部との位置関係を示す模式図である。
【図１１】本発明の他の実施形態に係る表示装置を示す断面図である。
【発明を実施するための形態】
【００１０】
以下、図１〜８を参照して本発明の一実施形態について説明する。
図１，４に示すように、本実施形態に係る表示装置１は、表示装置本体２と、バックカバー３と、を備える。
【００１１】
表示装置本体２は、板状に形成されている。本実施形態の表示装置本体２は、表示装置本体２をその厚さ方向（Ｚ軸方向）から見た平面視で矩形状に形成され、前面に画像を表示するための表示面２ａを有する。表示装置本体２は、例えば液晶ディスプレイパネルや有機ＥＬディスプレイパネル等、任意であってよい。
【００１２】
バックカバー３は、表示装置本体２の背面２ｂ（前面と反対側の面）側に配される。バックカバー３は、表示装置本体２の背面２ｂや、背面２ｂ側に設けられる各種電気部品や回路（不図示）などを覆って、これらを保護する。バックカバー３は、ねじ止めによって表示装置本体２の背面２ｂに対して着脱可能に固定される。
バックカバー３の厚さ方向から見たバックカバー３の平面視形状は、任意であってよい。本実施形態におけるバックカバー３の平面視形状は、矩形状である。バックカバー３は、その厚さ方向（Ｚ軸方向）に直交する第一方向（Ｙ軸方向）に延びる第一辺３ａと、厚さ方向及び第一方向に直交する第二方向（Ｘ軸方向）に延びる第二辺３ｂと、を有する。
本実施形態において、第一方向は表示装置本体２の背面２ｂに沿う一方向も示し、第二方向は表示装置本体２の背面２ｂに沿って第一方向に直交する方向も示す。
【００１３】
図１，３，４に示すように、バックカバー３は、本体板部５と、周縁板部６と、を備える。また、本実施形態のバックカバー３は、フランジ板部７も備える。
本体板部５は、表示装置本体２の背面２ｂに対して間隔をあけて位置する。
【００１４】
周縁板部６は、本体板部５の周縁から表示装置本体２の背面２ｂまで延びる。周縁板部６は、本体板部５の周縁全体に形成されている。本実施形態の周縁板部６は、本体板部５に対して傾斜している。以下の説明において、周縁板部６のうち本体板部５に対して第一方向の一方側（Ｙ軸負方向側）に隣り合わせて位置する部位を第一部位６Ａと呼ぶ。また、周縁板部６のうち本体板部５に対して第一方向の他方側（Ｙ軸正方向側）に隣り合わせて位置する部位を第二部位６Ｂと呼ぶ。
フランジ板部７は、周縁板部６の延長方向の先端に形成され、表示装置本体２の背面２ｂに重ねて配される。フランジ板部７は、周縁板部６の周縁全体に形成されている。
【００１５】
図１〜３に示すように、バックカバー３の周縁板部６には、その厚さ方向に貫通し、後述するブラケット２０をバックカバー３の外側に露出させる露出用孔１１が形成されている。本実施形態において、露出用孔１１は、周縁板部６の第一部位６Ａに形成されている。露出用孔１１は、第二方向において互いに間隔をあけて複数（図示例では三つ）配列されている。
【００１６】
図１〜４に示すように、本実施形態の周縁板部６は、第一傾斜板部１２と、第二傾斜板部１３と、を有する。第一傾斜板部１２は、本体板部５に対して比較的小さい角度で傾斜している。第二傾斜板部１３は、本体板部５に対して第一傾斜板部１２よりも大きい角度で傾斜している。本実施形態の第二傾斜板部１３は、周縁板部６の第一部位６Ａにのみ形成されている。図示例においては、二つの第二傾斜板部１３が第二方向において互いに間隔をあけて配列されている。一方の第二傾斜板部１３は、本体板部５に直接接続されている。他方の第二傾斜板部１３は、第一傾斜板部１２を介して本体板部５に接続されている。
【００１７】
本実施形態の露出用孔１１は、主に第二傾斜板部１３に形成されている。露出用孔１１は、例えば第二傾斜板部１３のみに形成されてよい。また、露出用孔１１は、図１〜３に例示するように、第一傾斜板部１２や本体板部５まで広げて形成されてよい。
【００１８】
図１，２，４に示すように、表示装置本体２の背面２ｂ（前面と反対側の面）には、ブラケット２０と、第一突起部３０と、が設けられる。ブラケット２０及び第一突起部３０は、表示装置本体２の背面２ｂのうちバックカバー３によって覆われる領域に配される。ブラケット２０及び第一突起部３０は、表示装置本体２の背面２ｂに固定される。
【００１９】
図２，４に示すように、ブラケット２０は、露出部２１と、接触用板部２２と、を有する。露出部２１は、バックカバー３の露出用孔１１を通じてバックカバー３の外側に露出する。接触用板部２２は、露出部２１の周縁に形成されてバックカバー３の内面に面接触可能である。接触用板部２２は、第一方向において周縁板部６の第一部位６Ａの内面６ｃに対向して面接触可能な第一被接触面２３（被接触面）を有する。また、接触用板部２２は、本体板部５の内面５ｃに対向して面接触可能な第二被接触面２４も有する。ブラケット２０の被接触面２３，２４は、バックカバー３の内面のうち露出用孔１１の周囲の領域に対向する。ブラケット２０の被接触面２３，２４がバックカバー３の内面に面接触することで、バックカバー３の露出用孔１１をブラケット２０によって塞ぐことができる。
【００２０】
図４に示すように、第一突起部３０は、第一方向においてブラケット２０の第一被接触面２３に対向する周縁板部６の第一部位６Ａとの間にブラケット２０が位置するように配される。すなわち、第一突起部３０は、少なくともブラケット２０よりも第一方向の他方側（Ｙ軸正方向側）に配されればよい。第一突起部３０は、第一方向においてブラケット２０から離れて位置することが好ましい。本実施形態の第一突起部３０は、バックカバー３の本体板部５のうち第一方向の他方側の端部（周縁板部６の第二部位６Ｂに隣り合う本体板部５の部分）に対応する位置に配される。第二方向（Ｘ軸方向）においてブラケット２０に対する第一突起部３０の位置は、任意であってよい。図５に示すように、第一突起部３０は、第二方向においてブラケット２０に対してずれた位置に配されてもよいし、ブラケット２０と同じ位置に配されてよい。
【００２１】
第一突起部３０は、任意の形状に形成されてよい。表示装置本体２の厚さ方向から見た第一突起部３０の平面視形状は、例えば円形などであってよいが、本実施形態では図５に示すように第二方向を長辺とする長方形に形成されている。また、側方から見た（例えば図４のように第二方向から見た）第一突起部３０の形状は、任意であってよいが、本実施形態では長方形に形成されている。すなわち、本実施形態の第一突起部３０は直方体の形状を呈している。
【００２２】
第一突起部３０は、例えば一つであってもよいが、本実施形態では図５に示すように第二方向において互いに間隔をあけて複数（図示例では二つ）配列されている。複数の第一突起部３０は、例えば第一方向において互いにずれた位置に配されてよいが、本実施形態では第一方向において互いに同じ位置に配されている。また、本実施形態では、複数の第一突起部３０が、第二方向におけるバックカバー３の中間を基準として均等に配列されている。
第一突起部３０は、例えば表示装置１を壁やスタンドなどに取り付けるための金具であってよい。
【００２３】
図３〜５に示すように、表示装置本体２の背面２ｂに対向するバックカバー３の本体板部５の内面５ｃには、第二突起部４０が設けられる。
第二突起部４０は、本体板部５の内面５ｃから表示装置本体２の背面２ｂに向けて延びる。ただし、第二突起部４０の先端は表示装置本体２の背面２ｂに到達しない。第二突起部４０は、第一方向において周縁板部６の第一部位６Ａとの間にブラケット２０及び第一突起部３０が位置するように、第一突起部３０に接触する。すなわち、第二突起部４０は、周縁板部６の第一部位６Ａ、ブラケット２０及び第一突起部３０よりも第一方向の他方側に位置する。また、第二突起部４０は、第二方向において第一突起部３０に対応する位置に配される。
【００２４】
第一方向における周縁板部６の第一部位６Ａと第二突起部４０との間隔は、第二突起部４０が第一方向の他方側から第一突起部３０に接触した状態でブラケット２０の第一被接触面２３が周縁板部６の第一部位６Ａの内面６ｃに接触するように設定されるとよい。すなわち、第二突起部４０は、第一方向において周縁板部６の第一部位６Ａとの間にブラケット２０及び第一突起部３０を挟むように配されるとよい。
【００２５】
第二突起部４０は、任意の形状に形成されてよい。図３，４に示すように、本実施形態では、第二突起部４０のうち第一方向において第一突起部３０側に向く面が、本体板部５の内面５ｃから本体板部５の板厚方向（Ｚ軸負方向）に離れるにしたがって、第一方向においてブラケット２０や周縁板部６の第一部位６Ａから離れるように傾斜する傾斜面４１を含む。第二突起部４０の傾斜面４１は、少なくとも第二突起部４０の延長方向の先端部分に形成されればよい。図示例の第二突起部４０は、板材を折り曲げることで形成されているが、これに限ることはない。
第二突起部４０は、例えば弾性変形可能に形成されてよい。この場合、第二突起部４０の弾性力を利用して、第二突起部４０と周縁板部６の第一部位６Ａとの間にブラケット２０及び第一突起部３０を確実に挟むことができる。
【００２６】
第二突起部４０は、第一突起部３０と同様に、第一方向において周縁板部６の第一部位６Ａから離れて位置することが好ましい。本実施形態の第二突起部４０は、第一方向において周縁板部６の第一部位６Ａと反対側に位置するバックカバー３の本体板部５の端部（周縁板部６の第二部位６Ｂに隣り合う本体板部５の部分）に配される。
【００２７】
第二突起部４０は、例えば一つであってもよいが、本実施形態では図３，５に示すように第二方向において互いに間隔をあけて複数（図示例では二つ）配列されている。複数の第二突起部４０は、例えば第一方向において互いにずれた位置に配されてよいが、本実施形態では第一方向において互いに同じ位置に配されている。また、本実施形態では、複数の第二突起部４０が、第二方向におけるバックカバー３の中間を基準として均等に配列されている。複数の第二突起部４０は、複数の第一突起部３０にそれぞれ接触する。
【００２８】
次に、上記した表示装置１において、バックカバー３を表示装置本体２の背面２ｂに配置するカバー配置方法について説明する。
カバー配置方法では、バックカバー３を配置する際に、図４に示すように、第一方向（Ｙ軸方向）においてブラケット２０の第一被接触面２３に対向する周縁板部６の第一部位６Ａと第二突起部４０との間にブラケット２０及び第一突起部３０が位置するように、第二突起部４０を第一突起部３０に接触させればよい。以下、本実施形態のカバー配置方法について、図６〜８を参照して具体的に説明する。
【００２９】
本実施形態のカバー配置方法では、はじめに、図６に示すように、表示装置本体２の背面２ｂのうちブラケット２０よりも第一方向の一方側（Ｙ軸負方向側）の位置に、バックカバー３を配する。この際、周縁板部６の第一部位６Ａ及び第二部位６Ｂが表示装置本体２の背面２ｂから離れる方向に順番に並ぶように、また、本体板部５の内面５ｃが第一方向の他方側に向くように、バックカバー３を表示装置本体２の背面２ｂに立てる。この状態では、バックカバー３の第二辺３ｂが表示装置本体２の背面２ｂに接触する。
【００３０】
次いで、表示装置本体の背面２ｂに接触するバックカバー３の第二辺３ｂを支点として、周縁板部６の第二部位６Ｂが表示装置本体２に近づくように、バックカバー３を倒す。すなわち、図６に示す状態から、バックカバー３の第二辺３ｂを支点として、バックカバー３を反時計回り（図６において矢印Ｄ１で示す方向）に回転させる。
これにより、図７に示すように、バックカバー３の第二突起部４０（特に傾斜面４１）が表示装置本体２の第一突起部３０に接しながら、バックカバー３が表示装置本体２の背面２ｂに近づく。このため、バックカバー３には第一方向の他方側に向かう力が作用する。これにより、バックカバー３は第一方向の他方側（矢印Ｄ２で示す方向）に移動する。その結果として、図８に示すように、周縁板部６の第一部位６Ａをブラケット２０の第一被接触面２３に近づけることができる。すなわち、周縁板部６の第一部位６Ａとブラケット２０の第一被接触面２３との隙間をなくすことができる。
以上により、本実施形態のカバー配置方法は完了する。
【００３１】
以上説明したように、本実施形態の表示装置１及びカバー配置方法によれば、第一方向においてバックカバー３の第二突起部４０と周縁板部６の第一部位６Ａとの間にブラケット２０及び第一突起部３０が位置するように、第二突起部４０が第一突起部３０に接触する。このため、周縁板部６の第一部位６Ａが第一方向においてブラケット２０の第一被接触面２３から離れるように移動することが、第一突起部３０及び第二突起部４０によって規制される。したがって、バックカバー３の周縁板部６にブラケット２０をバックカバー３の外側に露出用孔１１が形成されていても、バックカバー３の周縁板部６とブラケット２０との間に隙間が生じることを抑制できる。
【００３２】
また、本実施形態の表示装置１によれば、第二突起部４０が、第一方向において周縁板部６の第一部位６Ａとの間にブラケット２０及び第一突起部３０を挟む。これにより、バックカバー３の周縁板部６とブラケット２０との間に隙間が生じることを防止できる。
【００３３】
また、本実施形態の表示装置１によれば、第二突起部４０のうち第一方向において第一突起部３０側に向く面が、傾斜面４１を含む。このため、バックカバー３を表示装置本体２の背面２ｂに配置する際に、バックカバー３が表示装置本体２に対して第一方向の一方側にずれて位置しても、図７に示すように、第二突起部４０の傾斜面４１を第一突起部３０の先端に当てることができる。すなわち、第二突起部４０の先端が第一突起部３０の先端に当たることを抑制できる。したがって、第一方向において確実に第二突起部４０とブラケット２０との間に第一突起部３０が位置するように、第二突起部４０を第一突起部３０に接触させることができる。
作業者は、バックカバー３を表示装置本体２に取り付ける際、バックカバー３の内面に設けられた第二突起部４０を見ることができない。このため、第二突起部４０の傾斜面４１によって第二突起部４０の先端が第一突起部３０の先端に当たることを抑制することで、作業者はバックカバー３を容易に表示装置本体２に取り付けることができる。
【００３４】
また、本実施形態の表示装置１によれば、第二突起部４０は、第一方向において周縁板部６の第一部位６Ａと反対側に位置するバックカバー３の本体板部５の端部に配される。このため、第一方向において第二突起部４０からブラケット２０に至る距離が長くなる。これにより、バックカバー３を表示装置本体２の背面２ｂに配した状態で、ブラケット２０（特に第一被接触面２３）に対する周縁板部６の位置ずれを小さく抑えることができる。
【００３５】
また、本実施形態の表示装置１によれば、複数の第二突起部４０が、第二方向において互いに間隔をあけて配列されている。このため、バックカバー３を表示装置本体２の背面２ｂに配した状態において、複数の第二突起部４０は互いに異なる位置において第一突起部３０に接触する。これにより、バックカバー３が、第一突起部３０と第二突起部４０との接触部分を支点として、表示装置本体２の背面２ｂに沿って回転することを抑制できる。したがって、表示装置本体２の背面２ｂ側から見て、バックカバー３が表示装置本体２に対して傾いた状態で取り付けられることを抑制できる。
【００３６】
以上、本発明に係る表示装置及びカバー支持方法の一実施形態について説明したが、本発明は上記の実施形態に限定されるものではなく、その趣旨を逸脱しない範囲において適宜変更可能である。
【００３７】
本発明の表示装置において、第二突起部４０は、例えば図９に示すように、第二突起部４０が、第二方向（Ｘ軸方向）に延びる細長い形状に形成されてよい。また、細長い形状の第二突起部４０は、第二方向に配列された複数（図示例では二つ）の第一突起部３０に接触してよい。このような構成では、バックカバー３を表示装置本体２の背面２ｂに配した状態において、細長い形状の第二突起部４０が第二方向において互いに異なる位置で第一突起部３０に接触する。したがって、複数の第二突起部４０を第二方向に配列した上記実施形態の表示装置１と同様の効果を奏する。
細長い形状の第二突起部４０は、図９に例示するように一つであってもよいが、例えば上記実施形態と同様に第二方向に複数配列されてもよい。この場合には、各第二突起部４０が、例えば第二方向に配列された複数（図示例では二つ）の第一突起部３０に接触してよい。
【００３８】
本発明の表示装置において、第二突起部４０が一つである場合には、例えば図１０に示すように、第二突起部４０が第二方向におけるバックカバー３の中間に配されるとよい。図１０に例示する第二突起部４０において、第二方向における寸法は短い。この場合、第一突起部３０も、第二突起部４０と同様に第二方向におけるバックカバー３の中間に配されればよい。
【００３９】
このような構成では、バックカバー３を表示装置本体２の背面２ｂに配した状態において、バックカバー３が、第一突起部３０と第二突起部４０との接触部分を支点として表示装置本体２の背面２ｂに沿って回転する可能性が高い。ただし、上記の構成では、第二突起部４０が第二方向におけるバックカバー３の中間に対して第二方向の一方側に偏って配される場合と比較して、第二突起部４０からバックカバー３の周縁までの距離を短くすることができる。このため、バックカバー３が第一突起部３０と第二突起部４０との接触部分を支点として表示装置本体２の背面２ｂに沿って所定の角度で回転しても、第二突起部４０が上記のように偏って配される場合と比較して、表示装置本体２の背面２ｂに対するバックカバー３の周縁の位置ずれを小さく抑えることができる。すなわち、表示装置本体２の背面２ｂに対するバックカバー３の位置ずれを小さく抑えることができる。
【００４０】
本発明の表示装置では、例えば図１１に示すように、第二突起部４０のうち第一方向（Ｙ軸方向）において第一突起部３０側に向く面４１Ｅが、本体板部５の内面５ｃに対して直交する方向に延びてよい。
また、バックカバー３の周縁板部６は、例えば図１１に示すように、本体板部５や表示装置本体２の背面２ｂに対して直交してよい。この場合、周縁板部６の内面６ｃに面接触可能なブラケット２０の被接触面２３Ｅは、周縁板部６と同様に、表示装置本体２の背面２ｂに対して直交していればよい。
【符号の説明】
【００４１】
１  表示装置
２  表示装置本体
２ａ  表示面
２ｂ  背面
３  バックカバー
３ａ  第一辺
３ｂ  第二辺
５  本体板部
５ｃ  内面
６  周縁板部
６Ａ  第一部位
６Ｂ  第二部位
６ｃ  内面
１１  露出用孔
１２  第一傾斜板部
１３  第二傾斜板部
２０  ブラケット
２３  第一被接触面（被接触面）
２３Ｅ  被接触面
２４  第二被接触面
３０  第一突起部
４０  第二突起部
４１  傾斜面
【図１】
2019191416.tif 000003
【図２】
2019191416.tif 000004
【図３】
2019191416.tif 000005
【図４】
2019191416.tif 000006
【図５】
2019191416.tif 000007
【図６】
2019191416.tif 000008
【図７】
2019191416.tif 000009
【図８】
2019191416.tif 000010
【図９】
2019191416.tif 000011
【図１０】
2019191416.tif 000012
【図１１】
2019191416.tif 000013